(57)【要約】【課題】通帳等の媒体が極度にカールしている場合でも適正に繰出すことができる媒体繰出し分離機構を提供することを目的とする。【解決手段】スタッカ２に複数の通帳３が集積され、ウェイト板５および押圧スプリング６によりセンタガイド７に押圧されている。通帳３を繰出す場合、繰出しローラ８を通帳３に押圧させる。その際の繰出しローラ８の通帳３に対する押圧を受ける押圧受け爪部１３を設ける。押圧受け爪部１３はシャフト１６と爪部１７で構成され、爪部１７は通帳３の綴じ部３ａに当接することにより繰出しローラ８の押圧を受ける。爪部１７が通帳３の綴じ部３ａに当接することにより、先頭の通帳３をゴムゲート１２の根元部１２ａから離すことができ、繰り出される通帳３がゴムゲート１２の根元部１２ａに突き当たって繰出し不良となることはない。【選択図】  図１
2008230761.tif 000002
【特許請求の範囲】
【請求項１】
集積された媒体に繰出し部を押圧し、該繰出し部を駆動して媒体を繰出し、繰出し方向に設けられたゲート部により、繰出された媒体を１枚に分離する媒体繰出し分離機構において、
前記繰出し部により押圧される媒体を受ける押圧受け部を設け、該押圧受け部で押圧される媒体を受けることにより、繰出される媒体を前記ゲート部の根元部に接近させないようにしたことを特徴とする媒体繰出し分離機構。
【請求項２】
前記押圧受け部は、前記繰出し部側から３番目の媒体以降の媒体に当接することにより前記押圧される媒体を受ける請求項１記載の媒体繰出し分離機構。
【請求項３】
前記押圧受け部は複数の媒体に当接することにより前記押圧される媒体を受ける請求項２記載の媒体繰出し分離機構。
【請求項４】
前記押圧受け部は長さの異なる複数の爪部を有し、爪部と爪部の間隔が媒体の単体の厚さより若干の距離だけ大きく設定される請求項３記載の媒体繰出し分離機構。
【請求項５】
媒体の繰出し不良が発生した場合、前記繰出し部を通常繰出し時より強い力で媒体に押圧させる請求項１記載の媒体繰出し分離機構。
【発明の詳細な説明】
【技術分野】
【０００１】
本発明は、金融機関等に設置される通帳記帳機などにおける、通帳等の媒体を繰出して１枚に分離する媒体繰出し分離機構に関する。
【背景技術】
【０００２】
従来、通帳記帳機等においては、集積された複数冊の通帳に対して繰出しローラを押圧し、繰出しローラを回転することにより通帳を繰出し、繰出し方向の上部に設けられたゲート部により１枚に分離する機構を具備している。この種の媒体繰出し分離機構を示すものとして例えば、特開平７−５３０８０号公報に開示されるものがある。
【０００３】
上記文献に開示される技術は、通帳繰出し方向の上部に設けたゴムゲートが取り付けられる上面ガイドの通帳集積側に、表面が滑らかな弾性部材を設け、通帳が繰出されると、通帳に押されて撓み、その撓みによりカールしている通帳の先端部を正規の向きにするというものである。
【特許文献１】特開平７−５３０８０号公報
【発明の開示】
【発明が解決しようとする課題】
【０００４】
しかしながら上記特許文献１に開示される従来の媒体繰出し分離機構においては、極度にカールした通帳を繰出す場合に、通帳の先端部が弾性部材の撓みの基部より固定側に当接した場合には弾性部材は撓むことはないので、この場合は繰出し不良が発生する可能性がある。
【０００５】
そこで本発明は、通帳等の媒体が極度にカールしている場合でも適正に繰出すことができる媒体繰出し分離機構を提供することを目的とする。
【課題を解決するための手段】
【０００６】
上記課題を解決するために本発明は、集積された媒体に繰出し部を押圧し、該繰出し部を駆動して媒体を繰出し、繰出し方向に設けられたゲート部により、繰出された媒体を１枚に分離する媒体繰出し分離機構において、前記繰出し部により押圧される媒体を受ける押圧受け部を設け、該押圧受け部で押圧される媒体を受けることにより、繰出される媒体を前記ゲート部の根元部に接近させないようにしたことを特徴とする。
【発明の効果】
【０００７】
本発明によれば、繰出し部で押圧される媒体を押圧受け部で受け止めるので、たとえカールしている媒体であっても、媒体の繰出し時において繰出される媒体をゲート部の根元部から一定距離以上は接近させないようにすることができ、媒体の繰出しを良好に行うことができる。
【発明を実施するための最良の形態】
【０００８】
以下、本発明の実施の形態を図面にしたがって説明する。各図面に共通する要素には同一の符号を付す。図１は第１の実施の形態の媒体繰出し分離機構を示す概略構成図である。なお以下に説明する実施の形態では媒体として通帳を例にして説明し、媒体繰出し分離機構として通帳記帳機における通帳繰出し分離機構を例にして説明する。
【０００９】
図１において、通帳繰出し分離機構１はスタッカ２を有し、スタッカ２には複数の通帳３が斜めに集積された状態で収納されている。通帳３は綴じ部３ａが上方に位置する状態で収納されている。通帳３は集積台４上に載置され、移動可能なウェイト板５を介して押圧スプリング６により矢印Ａ方向に押圧されている。この押圧により通帳３はセンタガイド７に押し付けられる。センタガイド７はスタッカ２に固定され、移動不可となっている。
【００１０】
センタガイド７には切欠き部７ａが形成されており、この切欠き部７ａから繰出しローラ８が通帳３に当接可能となっている。繰出しローラ８はアーム９を介して支点１０を中心に揺動可能で、かつ自身回転可能である。繰出しローラ８の揺動は図示しないソレノイドにより行われ、通帳３の繰出しを行わないときは通帳３から離れた位置に退避している。繰出しローラ８の回転は図示しないパルスモータにより駆動される。繰出しローラ８は、矢印Ｂ方向に揺動することにより、最も左側の（センタガイド７に接触した）通帳３に圧接し、集積された通帳３を押圧する。
【００１１】
集積された通帳３の上部には上面ガイド１１が配設されている。上面ガイド１１は集積された通帳３の上部を揃えるためのガイドである。また通帳３の上部にはゴムゲート１２および本発明の特徴部分である押圧受け爪部１３（押圧受け部）が配設されている。ゴムゲート１２は、複数の通帳３が一度に繰出された場合に先頭の１冊だけに分離する分離部を構成するもので、鉄板１４上にネジ１５により固定されている。鉄板１４はスタッカ２に固定されている。
【００１２】
ここで、ゴムゲート１２と通帳３との間の摩擦係数をμGとし、繰出しローラ８と通帳３との間の摩擦係数をμPとし、通帳３同士の摩擦係数をμBとすると、これらの摩擦係数の大きさの関係は、μP＞μG＞μBとなるように設定されている。
【００１３】
図２に押圧受け爪部を示す。図１、図２において、押圧受け爪部１３はシャフト１６とシャフト１６に回転可能に取り付けられた複数の爪部１７とで構成される。シャフト１６はスタッカ２に固定されている。押圧受け爪部１３は、繰出しローラ８により押圧された通帳３を受けるもので、図１に示すように各爪部１７の先端部１７ａが集積された通帳３の綴じ部３ａの近傍に当接可能に配設され、先端部１７ａが通帳３の綴じ部３ａに突き当たることにより、繰出しローラ８に近い通帳３が、カールまたは繰出しローラ８の押圧力により、矢印Ｂ方向に過度に移動しないようにしている。各爪部１７はスプリング１８によりシャフト１６を中心に図１における反時計回り方向に付勢されている。
【００１４】
爪部１７の先端部１７ａとシャフト１６の中心との間の距離Ｌは、通帳３が最大限にカールした場合でも確実にいずれかの通帳３（例えば、先頭（図１における最左端）の通帳３から３番目又は４番目の通帳３）の綴じ部３ａに斜め上方から当接し、且つ、先頭の通帳３が繰出されるときに、爪部１７の先端部１７ａが先頭から３番目乃至４番目までの通帳３の綴じ部３ａを繰出しローラ８側へ押し留めることにより、先頭の通帳３がゴムゲート１２の根元部１２ａに当たらないような長さに設定されている。
【００１５】
シャフト１６の位置は、シャフト１６の中心と爪部１７の先端部１７ａとを結んだ直線が、繰出しローラ８の押圧方向（矢印Ｂ方向）に略平行となるような位置に設定されている。そのため繰出しローラ８が矢印Ｂ方向に通帳３を押圧した場合でも爪部１７の先端部１７ａが通帳３の綴じ部３ａから外れない構成となっている。
【００１６】
次に第１の実施の形態の動作を説明する。ここでは通帳３がカールしている場合の繰出し動作を図３乃至図５にしたがって説明する。図３乃至図５は第１の実施の形態の通帳繰出し動作を示す動作説明図である。取引が開始される前は、図３に示すように、スタッカ２には複数の通帳３が集積され、通帳３が押圧スプリング６およびウェイト板５によりセンタガイド７へ押し付けられている。ここで通帳３は図に示すようにカールしているものとする。
【００１７】
取引が開始されると、図示しないソレノイド等の駆動部への通電により、図４に示すように、繰出しローラ８が矢印Ｂ方向に移動し、通帳３を同方向に押圧する。この押圧により、通帳３の上部は矢印Ｂ方向に移動しようとするが、このとき、いずれかの通帳３（図４では先頭から４番目の通帳３）の綴じ部３ａが爪部１７の先端部１７ａに突き当たり、それ以上の移動を阻止される。この状態において、先頭の通帳３の綴じ部３ａはゴムゲート１２の根元部１２ａから充分離されている。
【００１８】
次に図示しない駆動部により繰出しローラ８が矢印Ｃ方向に回転される。この回転により先頭の通帳３が、図５に示すように、上方に繰出され、ゴムゲート１２に突き当たる。ここで先頭の通帳３とともに２番目の通帳３が同時に繰出された場合、上述のように、２冊目の通帳３とゴムゲート１２との間の摩擦係数μGは、繰出しローラ８と先頭の通帳３との間の摩擦係数をμPより小さく、かつ先頭の通帳３と２冊目の通帳３との間の摩擦係数μBより大きく設定されているので、先頭の通帳３だけがさらに上方に繰出され、２冊目の通帳３はゴムゲート１２より上方へは繰り出されない。
【００１９】
先頭の通帳３は、カールしている場合であってもその綴じ部３ａがゴムゲート１２の根元部１２ａから充分離れているので、繰出しローラ８により繰出される際にゴムゲート１２の根元部１２ａに突き当たるようなことはなく、良好に繰出しが行われる。
【００２０】
以上のように第１の実施の形態では、繰出しローラ８で通帳３を押圧した場合に、その押圧を爪部１７で受け、通帳３の綴じ部３ａの一定量以上の移動を阻止するようにしたので、先頭の通帳３の先端部（綴じ部３ａ）の位置をゴムゲート１２の根元部１２ａから離すことができ、繰出しの際に先頭の通帳３がカールしている場合であっても良好に繰出しを行うことができる。
【００２１】
なお図３、図４、図５に示す例では、爪部１７の先端部１７ａが先頭から４番目の通帳３に突き当たる場合を示しているが、爪部１７の先端部１７ａの位置は、通帳３が想定し得る最大限のカールをしている場合でも先頭から３番目の通帳３の綴じ部３ａに突き当たるように設定する。先頭から２番目の通帳３に突き当てるように設定してもよいのであるが、通帳の集積状態によっては各通帳の上端部に凹凸が発生し、図６に示すように、３番目の通帳３が突出していた場合には爪部１７が２番目の通帳３の綴じ部３ａから外れる。図６は爪部の外れた状態を示す説明図である。
【００２２】
この場合、先頭の通帳３がカールしていると、その先頭の通帳３が繰出された際に、点線で示すように、先端部が爪部１７の先端部１７ａに引っ掛かる可能性がある。その場合には繰出し不良となるので、爪部１７の先端部１７ａの位置は、通帳３が想定し得る最大限のカールをしている場合でも先頭から３番目の通帳３の綴じ部３ａに突き当たるように設定することが望ましい。
【００２３】
次に第２の実施の形態を説明する。図７は第２の実施の形態の媒体繰出し分離機構を示す概略構成図、図８は第２の実施の形態の押圧受け爪部を示す平面図および側面図である。第２の実施の形態の媒体繰出し分離機構の第１の実施の形態の機構と異なるところは押圧受け爪部であり、その他の部分は第１の実施の形態と同様である。
【００２４】
図７、図８において、第２の実施の形態の通帳繰出し分離機構２１には押圧受け爪部２２が設けられている。押圧受け爪部２２はシャフト２３とシャフト２３に回転可能に取り付けられた長さの異なる複数の爪部２４、２５、２６とで構成される。シャフト２３はスタッカ２に固定されている。最も長い爪部２４はシャフト２３のほぼ中央に配設され、シャフト２３の回転中心から爪部２４の先端部２４ａまでの距離Ｌ２４は、通帳３が想定し得る最大限カールしている場合でも先頭から３番目の通帳３の綴じ部３ａに突き当たるように設定され、かつ先頭の通帳３が繰出された際にゴムゲート１２の根元部１２ａに突き当たらないように設定される。
【００２５】
爪部２５は爪部２４の両側に配設され、シャフト２３の回転中心から爪部２５の先端部２５ａまでの距離Ｌ２５は、シャフト２３の回転中心から爪部２４の先端部２４ａまでの距離Ｌ２４に対して通帳３の１冊分の厚さと若干の距離（例えば、通帳３の厚さの４分の１程度の距離）をプラスした距離だけ短く設定されている。即ち、爪部２５の先端部２５ａは、爪部２４の先端部２４ａが突き当たる通帳３の次の通帳３に対して上記若干の距離をおいて当接可能となっている。このように若干の距離をおいて長さをずらす理由は、通帳３がカールしている場合でも確実に次の通帳３の綴じ部３ａに突き当たるようにするためである。
【００２６】
爪部２６は爪部２５の両側に配設され、シャフト２３の回転中心から爪部２６の先端部２６ａまでの距離Ｌ２６は、シャフト２３の回転中心から爪部２５の先端部２５ａまでの距離Ｌ２５に対して通帳３の１冊分の厚さだけ短く設定されている。即ち、爪部２６の先端部２６ａは、爪部２５の先端部２５ａが突き当たる通帳３の次の通帳３に対して当接するように寸法設定されている。
【００２７】
各爪部２４、２５、２６はシャフト２３に対して個別に回動可能であり、それぞれ個別にスプリング２７によりシャフト２３を中心に図７における反時計回り方向に付勢されている。
【００２８】
次に第２の実施の形態の動作を説明する。この場合も通帳３がカールしている場合の繰出し動作を図９乃至図１１にしたがって説明する。図９乃至図１１は第２の実施の形態の通帳繰出し動作を示す動作説明図である。取引が開始される前は、図９に示すように、スタッカ２には複数の通帳３が集積され、押圧スプリング６およびウェイト板５によりセンタガイド７へ押し付けられている。ここでも通帳３は図に示すようにカールしているものとする。
【００２９】
取引が開始されると、図示しないソレノイド等の駆動部への通電により、図１０に示すように、繰出しローラ８が矢印Ｂ方向に移動し、通帳３を同方向に押圧する。この押圧により、通帳３の上部は矢印Ｂ方向に移動しようとするが、このとき、先頭から３番目の通帳３の綴じ部３ａが爪部２４の先端部２４ａに突き当たり、先頭から４番目の通帳３の綴じ部３ａが爪部２５の先端部２５ａに突き当たり、先頭から５番目の通帳３の綴じ部３ａが爪部２６の先端部２６ａに突き当たる。これにより先頭から５番目までの各通帳３は、それ以上の移動を阻止される。この状態において、先頭の通帳３の綴じ部３ａはゴムゲート１２の根元部１２ａから充分離されている。
【００３０】
次に図示しない駆動部により繰出しローラ８が矢印Ｃ方向に回転される。この回転により先頭の通帳３が、図１１に示すように、上方に繰出され、ゴムゲート１２に突き当たる。ここで先頭の通帳３とともに２番目の通帳３が同時に繰出された場合、上述のように、２冊目の通帳３とゴムゲート１２との間の摩擦係数μGは、繰出しローラ８と先頭の通帳３との間の摩擦係数をμPより小さく、かつ先頭の通帳３と２冊目の通帳３との間の摩擦係数μBより大きく設定されているので、先頭の通帳３だけがさらに上方に繰出され、２冊目の通帳３はゴムゲート１２より上方へは繰り出されない。
【００３１】
先頭の通帳３は、カールしている場合であってもその綴じ部３ａがゴムゲート１２の根元部１２ａから充分離れているので、繰出しローラ８により繰出される際にゴムゲート１２の根元部１２ａに突き当たるようなことはなく、良好に繰出しが行われる。
【００３２】
ここで爪部２４の先端部２４ａの３番目の通帳３の綴じ部３ａに対する突き当たり状態が外れた場合、隣接する爪部２５の先端部２５ａが４番目の通帳３の綴じ部３ａに突き当たり、先頭から４番目までの通帳３の矢印Ｂ方向への移動を食い止める。そのため先頭の通帳３はゴムゲート１２の根元部１２ａに接近することはない。この場合、４番目の通帳３の先端部のカールの状態によっては爪部２５の先端部２５ａが４番目の通帳３の綴じ部３ａに引っ掛かり難い場合があるが、その場合でも、爪部２４の先端部２４ａと爪部２５の先端部２５ａとの距離が通帳３の１冊の厚さプラス若干の距離に設定してあるので、爪部２５の先端部２５ａは確実に４番目の通帳３の綴じ部３ａに突き当たる。
【００３３】
また仮に爪部２４の先端部２４ａと爪部２５の先端部２５ａの両方の通帳３の綴じ部３ａに対する突き当たり状態が外れた場合は、爪部２６の先端部２６ａが５番目の通帳３の綴じ部３ａに突き当たるので、先頭の通帳３はゴムゲート１２の根元部１２ａに接近することはない。
【００３４】
なお、爪部２４の先端部２４ａが３番目の通帳３の綴じ部３ａから外れた場合、第１の実施の形態の図６で説明したように、特に通帳３がカールしていたとしても、先頭の通帳３が繰出される際に、爪部２４の先端部２４ａはせいぜい２番目の通帳３に引っ掛かるだけであるので、先頭の通帳３の繰り出しには影響がない。
【００３５】
以上のように第２の実施の形態においては、上記第１の実施の形態の有する効果に加えて、通帳３の集積状態により１つの爪部（２４、２５および２６の何れか）が通帳３の綴じ部３ａから外れた場合でも他の爪部が他の通帳３の綴じ部３ａに突き当たるので、先頭の通帳３がゴムゲート１２の根元部１２ａに接近することはなく、先頭の通帳３の繰出しを良好に行うことができる。
【００３６】
本発明は上記実施の形態に限定されるものではなく、種々の変形が可能である。例えば、上記第１の実施の形態において、仮に通帳３の繰出し不良が発生した場合に、リトライ動作として、繰出しローラ８を、図４に示す通常の繰出し時よりも強い力で通帳３に押圧させる。これにより、カールした通帳３はカール状態が矯正され、より真っ直ぐな状態になる。この状態でリトライ動作を行うことにより繰出し不良の発生頻度を低くすることができる。
【００３７】
また、第１の実施の形態の押圧受け爪部１３の構造において、爪部１７を支持する構造として、シャフト１６により支持構造から、例えば、板金に曲げを付けたブラケットだけを支持する構造に変更するようにしてもよい。この場合にはより安価な装置を提供することが可能となる。さらに第１の実施の形態の爪部１３を板バネ等の弾性体で構成させても同等の機能を得ることができる。
【図面の簡単な説明】
【００３８】
【図１】第１の実施の形態の媒体繰出し分離機構を示す概略構成図である。
【図２】第１の実施の形態の押圧受け爪部を示す平面図および側面図である。
【図３】第１の実施の形態の通帳繰出し動作を示す動作説明図である。
【図４】第１の実施の形態の通帳繰出し動作を示す動作説明図である。
【図５】第１の実施の形態の通帳繰出し動作を示す動作説明図である。
【図６】爪部の外れた状態を示す説明図である。
【図７】第２の実施の形態の媒体繰出し分離機構を示す概略構成図である。
【図８】第２の実施の形態の押圧受け爪部を示す平面図および側面図である。
【図９】第２の実施の形態の通帳繰出し動作を示す動作説明図である。
【図１０】第２の実施の形態の通帳繰出し動作を示す動作説明図である。
【図１１】第２の実施の形態の通帳繰出し動作を示す動作説明図である。
【符号の説明】
【００３９】
１  通帳繰出し分離機構
３  通帳
３ａ  綴じ部
８  繰出しローラ
１２  ゴムゲート
１２ａ  根元部
１３、２２  押圧受け爪部
１７、２４、２５、２６  爪部
【図１】
2008230761.tif 000003
【図２】
2008230761.tif 000004
【図３】
2008230761.tif 000005
【図４】
2008230761.tif 000006
【図５】
2008230761.tif 000007
【図６】
2008230761.tif 000008
【図７】
2008230761.tif 000009
【図８】
2008230761.tif 000010
【図９】
2008230761.tif 000011
【図１０】
2008230761.tif 000012
【図１１】
2008230761.tif 000013